(57)【要約】【課題】ペイパービュー番組を視聴するためのユーザの購入意思決定を放送後であっても可能とする。【解決手段】蓄積手段１０２に蓄積しておくことを選択した購入検討番組を特定する情報をメモリ１１４に格納する蓄積予約処理部１２０と、購入検討番組のリアルタイム放送時にそのスクランブルされた映像・音声データを蓄積手段に蓄積するとともに、そのスクランブル鍵をＥＣＭより取得しメモリに格納する番組蓄積処理部１２２と、蓄積された購入検討番組のうち、視聴者が購入を決定した購入決定番組を特定する情報に基づいてその課金情報をＩＣカードに送信する課金処理部１２４と、購入決定番組を特定する情報に基づいて、蓄積手段に蓄積された購入決定番組を、前記スクランブル鍵を用いてデスクランブルし視聴可能とするデスクランブル部１２６とからシステム１００を構成する。【選択図】図１
2008154086.tif 000002
【特許請求の範囲】
【請求項１】
視聴者により購入されたペイパービュー番組の課金処理を行うために放送センター側に定期的に回収される購入番組課金情報を格納処理するＩＣカードのリーダライタと、番組の映像・音声データを蓄積する番組蓄積手段とを備えた有料放送受信装置であって、
視聴者が視聴のために購入するか否かを検討するために前記番組蓄積手段に蓄積しておくことを選択したペイパービュー番組である購入検討番組を特定する情報を、入力インターフェースより取得しメモリに格納する、蓄積予約処理部と、
前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する、番組蓄積処理部と、
前記番組蓄積手段に蓄積された購入検討番組のうち、視聴者が視聴のための購入を決定した購入決定番組を特定する情報を入力インターフェースより取得し、当該購入決定番組を特定する情報に基づいて、当該購入決定番組の前記購入番組課金情報を、前記ＩＣカードに格納処理させるべく前記リーダライタに送信する、課金処理部と、
入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする、デスクランブル部と、
を備えたことを特徴とする、有料放送受信装置。
【請求項２】
前記番組蓄積処理部において前記購入検討番組の映像・音声データを前記番組蓄積手段に蓄積する際に、当該購入検討番組の前記購入番組課金情報をメモリに格納する、擬似購入処理部を備えることを特徴とする、
請求項１に記載の有料放送受信装置。
【請求項３】
前記疑似購入処理部は、前記ＩＣカードと同じ認証用情報と処理機能とを備えて、前記放送センター側の装置から見て前記ＩＣカードと認識可能なものであることを特徴とする、請求項２に記載の有料放送受信装置。
【請求項４】
前記番組蓄積手段に蓄積された各購入検討番組について、前記番組蓄積手段に蓄積された当該各購入検討番組のスクランブルされた映像・音声データに含まれるプレビューを、入力インターフェースより取得する視聴者のプレビュー視聴要求に基づいて再生する、プレビュー再生部を備えることを特徴とする、
請求項１〜３のいずれかに記載の有料放送受信装置。
【請求項５】
前記デスクランブル部においてデスクランブルされ視聴可能とされた、前記番組蓄積手段に蓄積された前記購入決定番組のうち、そのＥＣＭにおいて属性が録画不可と設定されているものについては、所定の視聴可能期限後に前記番組蓄積手段から強制削除する、録画不可番組削除部を備えることを特徴とする、
請求項１〜４のいずれかに記載の有料放送受信装置。
【請求項６】
視聴者により購入されたペイパービュー番組の課金処理を行うために放送センター側に定期的に回収される購入番組課金情報を格納処理するＩＣカードのリーダライタと、番組の映像・音声データを蓄積する番組蓄積手段とを備えたコンピュータが、
視聴者が視聴のために購入するか否かを検討するために前記番組蓄積手段に蓄積しておくことを選択したペイパービュー番組である購入検討番組を特定する情報を、入力インターフェースより取得し、メモリに格納する処理と、
前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する処理と、
前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信する処理と、
入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする処理と、
を実行することを特徴とする有料放送受信方法。
【請求項７】
視聴者により購入されたペイパービュー番組の課金処理を行うために放送センター側に定期的に回収される購入番組課金情報を格納処理するＩＣカードのリーダライタと、番組の映像・音声データを蓄積する番組蓄積手段とを備えたコンピュータに、
視聴者が視聴のために購入するか否かを検討するために前記番組蓄積手段に蓄積しておくことを選択したペイパービュー番組である購入検討番組を特定する情報を、入力インターフェースより取得し、メモリに格納するステップと、
前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納するステップと、
前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信するステップと、
入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とするステップと、
を実行させる有料放送受信プログラム。
【発明の詳細な説明】
【技術分野】
【０００１】
本発明は、有料放送受信装置、有料放送受信方法、および有料放送受信プログラムに関する。具体的には、視聴者が、ペイパービュー番組の視聴に際しての購入意思決定を、リアルタイム放送時までに行うのではなく放送後にも検討可能とする、有料放送受信装置、有料放送受信方法、および有料放送受信プログラムに関する。
【背景技術】
【０００２】
ＢＳ放送やＣＳ放送、ケーブルテレビといった有料放送の番組の中に、視聴する番組ごとに課金される番組、言い換えれば視聴者が番組ごとに購入／非購入を選択できる番組である、ペイ・パー・ビュー（以下、ＰＰＶ）番組がある。このＰＰＶ番組の受信装置に関する技術が提案されている。例えば、特許文献１には、従来のＩＣカードを利用した場合でも、１度のＰＰＶ番組の購入で再生できる回数を制限する方式の実現解として、セキュリティー的な問題なく実用化可能な蓄積型有料放送受信装置を提供するとの目的の下、ペイパービュー番組のＥＣＭ（Entitlement Control Message）に視聴回数の上限値を示す視聴回数上限値と、一方向に変化する視聴回数検出用更新番号とが挿入されたトランスポートストリームが入力される入力端と、前記トランスポートストリームが入力され、前記ペイパービュー番組をデスクランブルするためのデスクランブル鍵を発生するＩＣカードと前記トランスポートストリームが入力され、このトランスポートストリームから前記ペイパービュー番組を、前記デスクランブル鍵を用いてデスクランブルするデスクランブル手段とを備え、前記ＩＣカードは、前記視聴回数検出用更新番号を記憶する視聴回数検出用更新番号記憶手段と、前記トランスポートストリームに含まれる前記ＥＣＭ（Entitlement Control Message）の視聴回数検出用更新番号の変化を検出する検出手段と、前記ペイパービュー番組を視聴者が購入したときに視聴回数を初期化し、前記検出手段より検出された変化の方向が前記一方向と異なったときに、前記視聴者が前記ペイパービュー番組を視聴した視聴回数を１増加させる視聴回数記憶手段と、前記視聴回数と前記視聴回数上限値とを比較し、視聴回数が前記視聴回数上限値を越えていない場合に視聴可と判定して前記デスクランブル鍵を前記デスクランブル手段へ出力し、視聴回数が前記視聴回数上限値を越えた場合に視聴不可と判定して前記デスクランブル鍵を前記デスクランブル手段へ出力しない判定手段とを備えたことを特徴とする蓄積型有料放送受信装置などが開示されている。
【特許文献１】特開２００２−２８１４７２号公報
【発明の開示】
【発明が解決しようとする課題】
【０００３】
ところで、視聴者がＰＰＶ番組を視聴するには、リアルタイム放送時にそのまま視聴する方法と、蓄積（録画）機能を有する蓄積型の受信装置を用いてリアルタイム放送時に蓄積（録画）し、後で時間があるときに視聴する方法とがある。前者の場合は、視聴者が、当該ＰＰＶ番組のリアルタイム放送時までに、リアルタイム放送時に視聴するための「視聴予約」を行う必要があり、後者の場合は、やはり当該ＰＰＶ番組のリアルタイム放送時までに、当該ＰＰＶ番組の録画を行うための「録画予約」を行う必要があった。ここで、上記いずれの「予約」方法においても、当該予約を行うことによって、視聴者は、当該ＰＰＶ番組を視聴のために購入する意思を伝達することとなり、それによって、視聴あるいは録画が可能となる。このことを別の角度から見れば、上記いずれの視聴方法においても、視聴者は、少なくとも当該ＰＰＶ番組のリアルタイム放送時までには、当該ＰＰＶ番組を視聴するために購入するか否かを意思決定しなければならなかった。
【０００４】
上記２種類の「予約」のいずれかにより、購入意思伝達済みのＰＰＶ番組は、そのリアルタイム放送時に受信装置内での課金処理が実行される。具体的には例えば、受信装置（のプログラム部分）は、当該リアルタイム放送開始時に、デジタル放送に使用されるアクセス制御方式の標準仕様であるＡＲＩＢ  ＳＴＤ−Ｂ２５などで規定された「購入」コマンドを、受信装置のＩＣカードに対し実行する。ここでいうＩＣカードとは、通常、制御装置やメモリなどのマイコン機能を備え、有料放送受信装置の入出力インターフェースの一つであるＩＣカードリーダ／ライタに挿入されて、スクランブルされた番組をデスクランブルする処理などの各種処理を実行する。上記「購入」コマンドには、ＡＲＩＢ  ＳＴＤ−Ｂ２５で規定された当該ＰＰＶ番組についての課金情報（以下、購入番組課金情報という）が含まれており、ＩＣカードが格納処理したこの購入番組課金情報は、放送センター側に定期的に送信（アップロード）されて回収される。放送センター側では、この回収した購入番組課金情報に基づいて放送センター側での課金処理を実行し、それによって視聴者に対し、当該購入されたＰＰＶ番組の視聴料を請求することとなる。
【０００５】
しかしながら、このような従来の方法では、視聴者は、リアルタイム放送時までには、ＰＰＶ番組を視聴のために購入するか否かについて十分に検討する時間を持てないことも多く、また、当該ＰＰＶ番組についての十分な情報を得られないことも多いため、例えばリアルタイム放送時の直前に放送があることを知って急遽購入を決め視聴あるいは録画したが、「面白い番組だと思ったのに視聴してみたらあまり面白くなかった。損な買い物をしてしまった。」というような失敗をすることも多かった。また逆に、十分に検討する時間や情報が無いため、面白そうな番組だと思っても、損をするおそれを考慮すると、購入の意思決定まではできずに終わってしまう場合も多かった。
【０００６】
このような現状から、視聴者が、ペイパービューの番組を視聴するための購入の意思決定を、リアルタイム放送時までに行うのではなく、放送後にも視聴するか否か十分に検討した上で行うことができれば、各種有料放送におけるＰＰＶ番組を購入する視聴者側の利便性も一段と高まるとともに、番組作成者や放送事業者側としてもＰＰＶ番組の購入がいっそう促進されるメリットがあると考えられるため、好ましいのであるが、そのような技術は存在しておらず、開発が望まれていた。
【０００７】
そこで本発明は上記課題に鑑みてなされたものであり、ペイパービュー番組を視聴するためのユーザの購入意思決定を放送後であっても可能とする、有料放送受信装置、有料放送受信方法、および有料放送受信プログラムを提供することを主たる目的とする。
【課題を解決するための手段】
【０００８】
上記課題を解決する本発明の有料放送受信装置は、視聴者により購入されたペイパービュー番組の課金処理を行うために放送センター側に定期的に回収される購入番組課金情報を格納処理するＩＣカードのリーダライタと、番組の映像・音声データを蓄積する番組蓄積手段とを備えた有料放送受信装置であって、視聴者が視聴のために購入するか否かを検討するために前記番組蓄積手段に蓄積しておくことを選択したペイパービュー番組である購入検討番組を特定する情報を、入力インターフェースより取得し、メモリに格納する、蓄積予約処理部と、前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する、番組蓄積処理部と、前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信する、課金処理部と、入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする、デスクランブル部と、を備えたことを特徴とする、有料放送受信装置。
【０００９】
また、前記番組蓄積処理部において前記購入検討番組の映像・音声データを前記番組蓄積手段に蓄積する際に、当該購入検討番組の前記購入番組課金情報をメモリに格納する、擬似購入処理部を備えることとすれば好適である。
【００１０】
また、前記疑似購入処理部は、前記ＩＣカードと同じ認証用情報と処理機能とを備えて、前記放送センター側の装置から見て前記ＩＣカードと認識可能なものであることとすれば好適である。
【００１１】
また、前記番組蓄積手段に蓄積された各購入検討番組について、前記番組蓄積手段に蓄積された当該各購入検討番組のスクランブルされた映像・音声データに含まれるプレビューを、入力インターフェースより取得する視聴者のプレビュー視聴要求に基づいて再生する、プレビュー再生部を備えることとすれば好適である。
【００１２】
また、前記デスクランブル部においてデスクランブルされ視聴可能とされた、前記番組蓄積手段に蓄積された前記購入決定番組のうち、そのＥＣＭにおいて属性が録画不可と設定されているものについては、所定の視聴可能期限後に前記番組蓄積手段から強制削除する、録画不可番組削除部を備えることとすれば好適である。
【００１３】
また、本発明の有料放送受信方法は、視聴者により購入されたペイパービュー番組の課金処理を行うために放送センター側に定期的に回収される購入番組課金情報を格納処理するＩＣカードのリーダライタと、番組の映像・音声データを蓄積する番組蓄積手段とを備えたコンピュータが、視聴者が視聴のために購入するか否かを検討するために前記番組蓄積手段に蓄積しておくことを選択したペイパービュー番組である購入検討番組を特定する情報を、入力インターフェースより取得し、メモリに格納する処理と、前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納する処理と、前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信する処理と、入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とする処理と、を実行することを特徴とする有料放送受信方法。
【００１４】
また、本発明の有料放送受信プログラムは、視聴者により購入されたペイパービュー番組の課金処理を行うために放送センター側に定期的に回収される購入番組課金情報を格納処理するＩＣカードのリーダライタと、番組の映像・音声データを蓄積する番組蓄積手段とを備えたコンピュータに、視聴者が視聴のために購入するか否かを検討するために前記番組蓄積手段に蓄積しておくことを選択したペイパービュー番組である購入検討番組を特定する情報を、入力インターフェースより取得し、メモリに格納するステップと、前記購入検討番組のリアルタイム放送時に、当該購入検討番組のスクランブルされた映像・音声データを前記番組蓄積手段に蓄積するとともに、当該購入検討番組のスクランブル鍵を当該購入検討番組のＥＣＭより取得しメモリに格納するステップと、前記番組蓄積手段に蓄積された購入検討番組のうち、視聴者が視聴のための購入を決定した購入決定番組を特定する情報を、入力インターフェースより取得し、当該購入決定番組を特定する情報に基づいて、当該購入決定番組の前記購入番組課金情報を、前記ＩＣカードに格納処理させるべく前記リーダライタに送信するステップと、入力インターフェースより取得した前記購入決定番組を特定する情報に基づいて、前記番組蓄積手段に蓄積された当該購入決定番組を、前記番組蓄積処理部においてメモリに格納した当該購入決定番組の前記スクランブル鍵を用いてデスクランブルし視聴可能とするステップと、を実行させる有料放送受信プログラム。
【００１５】
その他、本願が開示する課題、及びその解決方法は、発明の実施の形態の欄、及び図面により明らかにされる。
【発明の効果】
【００１６】
本発明によれば、ペイパービュー番組を視聴するためのユーザの購入意思決定が放送後であっても可能となる。
【発明を実施するための最良の形態】
【００１７】
−−−システム構成−−−
以下に本発明の実施形態について図面を用いて詳細に説明する。図１は本実施形態の有料放送受信装置１００のブロック構成図である。本実施形態では、ケーブルテレビ（ＣＡＴＶ）の視聴に用いる有料放送受信装置を例として説明するが、本発明はＢＳ放送やＣＳ放送などを含む各種有料放送に適用可能である。これら各種の有料放送では、放送センター側から加入者（視聴者）側に配信される有料番組の放送信号が、セットトップボックス（ＳＴＢ）などと総称される有料放送受信装置（以下、単に受信装置ともいう）１００により受信され、視聴可能な映像と音声の信号に変換される。本実施形態の受信装置１００は、各種番組を受信し、視聴可能とするのみならず、番組蓄積手段（以下、単に蓄積手段という）１０２であるハードディスク１０２に番組を蓄積（録画）しておくことが可能な、蓄積型の有料放送受信装置１００である。
【００１８】
有料放送の番組の中には、視聴する番組ごとに課金される、言い換えれば視聴者が番組ごとに購入／非購入を選択できる、ペイ・パー・ビューと呼ばれる番組（以下、ＰＰＶ番組という）がある。ＰＰＶ番組は、権利保護のためスクランブル（暗号化）されて配信される。このＰＰＶ番組を視聴するには、まず、従来どおりの方法として、視聴者が「視聴予約」（リアルタイム放送時にそのまま視聴するための予約）や「録画予約」を行うことにより視聴する方法がある。これらの方法では、それらの「予約」を行うことにより、視聴者は購入の意思決定を行ったとみなされ、その結果、当該ＰＰＶ番組のリアルタイム放送時には、受信装置によりデスクランブル（暗号解除）された当該ＰＰＶ番組を視聴あるいは録画できる。
【００１９】
本実施形態の受信装置によれば、これら２種類の「予約」による視聴方法に加えて、第三の「予約」方法が可能となる。この三番目の方法では、視聴者が視聴のために購入する可能性のあるＰＰＶ番組を、そのリアルタイム放送時に、とりあえず番組蓄積手段に蓄積（録画）しておき、リアルタイム放送後に購入意思決定をして視聴することが可能となる。この第三の予約方法を、以下の説明では「蓄積予約」と呼ぶことにする。
【００２０】
受信装置１００の構成としては、本発明の特徴である上記「蓄積予約」によるＰＰＶ番組の視聴方法を実現すべく、従来の受信装置に追加的に設けられる構成として、第1ＲＯＭ１０４、第２ＲＯＭ１０６のそれぞれにいわゆるファームウェアとして格納されたプログラム群である第1機能部１０８、第２機能部１１０を備える。これらの第1機能部１０８、第２機能部１１０などのプログラムは、第１ＲＡＭ１１２、第２ＲＡＭ１１４、ＮＶＲＡＭ１１６などの各種メモリと各種データを送受信しつつ、演算装置たるＣＰＵ１１８により実行される。
【００２１】
第２機能部１１０には、本発明の特に特徴的な各機能部である、蓄積予約処理部１２０、番組蓄積処理部１２２、課金処理部１２４、デスクランブル部１２６、擬似購入処理部１２８、プレビュー再生部１３０、録画不可番組削除部１３２などが含まれる。これら各機能部の詳細は後述する。第１機能部１０８は、第２機能部１１０の各機能部１２０〜１３２を設けたことによって、受信装置１００において付随的に必要となった各種の機能や、ＩＣカード１３４が実行する各種の処理と関連する処理機能などを有する機能部である。
【００２２】
ＩＣカードは、受信装置１００の入出力インターフェース１３６のひとつであるＩＣカードリーダ／ライタに挿入される、マイコン機能を備えたカードである。本実施形態では少なくとも、視聴者により購入されたペイパービュー番組の課金処理を行うために放送センター側に定期的に回収される購入番組課金情報を格納処理する機能を備える。受信装置１００の入出力インターフェース１３６は、他に、視聴者がＴＶ画面を見ながら各種操作を行うために使用するリモコン１３８からの信号を受信したりする。
【００２３】
また、受信装置１００は、放送センター側から送られるＲＦ信号が入力される第１ＲＦ入力端１４０、第２ＲＦ入力端１４２を備えている。放送センター側から送られるＲＦ信号には、ＰＰＶ番組を含む有料放送番組のＴＶ信号や、各有料放送番組の属性情報（以下、ＥＣＭ：Entitlement Control Messageという）、および視聴者ごとの個別契約情報（以下、ＥＭＭ：Entitlement Management Messageという）などが混合されている。第１ＲＦ入力端１４０からは、蓄積手段１０２に蓄積されない、すなわち視聴予約によりリアルタイムに視聴される番組の各種データが入力される。第２ＲＦ入力端１４２からは、録画予約や蓄積予約により蓄積手段１０２に蓄積されて視聴される番組の各種データが入力される。上記ＥＣＭには、ＰＰＶ番組などスクランブルされた番組のデスクランブルに必要な情報であるデスクランブル鍵Ｋｓや、各ＰＰＶ番組を特定するＩＤ情報（ＰＰＶ−ＩＤ）などが含まれている。
【００２４】
また、受信装置１００には、第１ＲＦ入力端１４０および第２ＲＦ入力端１４２のそれぞれに続いて、各ＲＦ信号に混合される各種情報を分離し、その中に含まれるＴＶ信号を視聴可能な映像・音声信号に変換し、テレビへの音声出力端子１４４、１４６および映像出力端子１４８、１５０から出力するための、第１チューナ１５２および第２チューナ１５４、復調部１５６、１５８、デコード部１６０、１６２、音声でコード部１６４、１６６、映像デコード部１６８、１７０、提示処理部１７２、１７４、第１スイッチ１７６および第２スイッチ１７８が設けられている。
【００２５】
また、受信装置１００から購入番組課金情報が放送センター側に送信される際は、モデム１８０から電話回線などの公衆回線網や専用線などを介して送信される。
【００２６】
−−−各機能部の説明−−−
続いて、受信装置１００が、第２ＲＯＭ１０６に格納されるプログラム群として構成・保持する第２機能部１１０に含まれる各機能部１２０〜１３２について説明を行う。
【００２７】
受信装置１００は、視聴者が視聴のために購入するか否かを検討するために番組蓄積手段１０２に蓄積しておくことを選択した、すなわち本実施形態における「蓄積予約」をしたペイパービュー番組である購入検討番組を特定する情報を、入力インターフェース１３６より取得し、メモリ１１４に格納する、蓄積予約処理部１２０を備える。具体的には、購入検討番組を特定する情報は、視聴者のリモコン１３８からの信号を入力インターフェース１３６より取得し、メモリ１１４に格納する。購入検討番組を特定する情報とは、本実施形態では、当該購入検討番組を特定するＩＤ情報（ＰＰＶ−ＩＤ）などである。
【００２８】
また、受信装置１００は、前記購入検討番組のリアルタイム放送時に、当該購入検討番組のスクランブルされた映像・音声データを蓄積手段１０２に蓄積するとともに、当該購入検討番組のスクランブル鍵Ｋｓを当該購入検討番組のＥＣＭより取得しメモリ１１４に格納する、番組蓄積処理部１２２を備える。仮に、ＰＰＶ番組である購入検討番組をデスクランブルした上で蓄積手段１０２に蓄積（録画）することとすれば、何らかの方法により当該蓄積されたＰＰＶ番組が購入され、課金処理されないまま視聴されてしまうこともあり得るが、このように、視聴者により蓄積予約された購入検討番組を、スクランブルされたまま蓄積手段１０２に蓄積（録画）することとすれば、ＰＰＶ番組である購入検討番組の権利保護を適切に図ることができる。また、蓄積予約された購入検討番組については、その全てについてスクランブル鍵Ｋｓを一応取得しておいてメモリ１１４に格納することとしたので、後に視聴者が購入意思決定した購入検討番組については、確実にデスクランブルし、視聴可能とすることができる。
【００２９】
また、受信装置１００は、前記蓄積手段１０２に蓄積された購入検討番組のうち、視聴者が視聴のための購入を決定した購入決定番組を特定する情報を、入力インターフェース１３６より取得し、当該購入決定番組を特定する情報に基づいて、当該購入決定番組の前記購入番組課金情報を、前記ＩＣカードに格納処理させるべく前記ＩＣカードリーダ／ライタに１３６送信する、課金処理部１２４を備える。購入を意思決定したＰＰＶ番組は、そのＰＰＶ番組についての課金処理が何らかの方法で実行されない限り、当該ＰＰＶ番組の権利保護の観点などから視聴可能とする訳にいかない。課金処理部１２４によれば、視聴者の、リアルタイム放送後の購入意思決定に基づいて、当該ＰＰＶ番組の課金処理が確実に実行されるので、当該ＰＰＶ番組が視聴可能とすることができる。視聴可能にする具体的な方法は、次のデスクランブル部１２６の処理による。これによって視聴者は、ＰＰＶ番組を視聴するための購入の意思決定を、リアルタイム放送時までに行うのではなく、放送後に行うことが可能となる。すなわち、視聴者は、視聴のために購入するか否かを検討したいＰＰＶ番組については、購入検討番組として「蓄積予約」し、当該ＰＰＶ番組をリアルタイム放送時に蓄積手段１０２に蓄積しておいて、その後、購入を意思決定すれば、間違いなく課金処理も実行されて当該ＰＰＶ番組が視聴可能となるのである。
【００３０】
また、受信装置１００は、入力インターフェース１３６より取得した前記購入決定番組を特定する情報に基づいて、前記蓄積手段１０２に蓄積された当該購入決定番組を、前記番組蓄積処理部１２２においてメモリ１１４に格納した当該購入決定番組の前記スクランブル鍵Ｋｓを用いてデスクランブルし視聴可能とする、デスクランブル部１２６を備える。
【００３１】
また、受信装置１００は、前記番組蓄積処理部１２２において前記購入検討番組の映像・音声データを前記蓄積手段１０２に蓄積する際に、当該購入検討番組の前記購入番組課金情報をメモリ１１４に格納する、擬似購入処理部１２８を備える。受信装置１００で実行される各種のコマンドや動作は、デジタル放送に使用されるアクセス制御方式の標準仕様であるＡＲＩＢ  ＳＴＤ−Ｂ２５などで規定されている。その規定に従って、受信装置１００の構成や動作を設計する場合は、例えば、ＰＰＶ番組をそのリアルタイム放送時にリアルタイムに視聴あるいは蓄積手段１０２に蓄積するには、ＡＲＩＢ  ＳＴＤ−Ｂ２５規定の「購入コマンド」を生成し、その購入コマンドに含まれる購入番組課金情報を取得し、何らかの記憶手段に格納する必要がある。ところが、この購入番組課金情報を、本来の（従来の）処理のように、ＩＣカードリーダ／ライタ１３６に向けて送信しＩＣカード１３４に格納させてしまうと、ＩＣカード１３４からは当該購入番組課金情報が定期的に放送センター側に送信されてしまう。当該購入番組課金情報が放送センター側に回収されてしまうと、放送センター側で当該ＰＰＶ番組の課金処理が実行されてしまい、視聴者は、まだ視聴していない当該ＰＰＶ番組について料金を請求されてしまうことになる。そこで、それを防ぐべく、購入番組課金情報を本来のようにＩＣカードリーダ／ライタ１３６に向けて送信し、ＩＣカード１３４に格納させてしまう代わりに、擬似購入処理部１２８によって、擬似的に購入処理を実行するのである。
【００３２】
そのために、前記疑似購入処理部１２８は、前記ＩＣカード１３４と同じ認証用情報と処理機能とを備えて、前記放送センター側の装置から見て前記ＩＣカードと認識可能なツールとなる。この「ツール」は、アプリケーションプログラムとして前記ＩＣカード１３４が備えるべき機能と同じものを構築すればよい。或いは、前記ＩＣカード１３４と同じ機能を回路構成し受信装置１００において付帯するとしてもよい。
【００３３】
また、受信装置１００は、前記蓄積手段１０２に蓄積された各購入検討番組について、蓄積手段１０２に蓄積された当該各購入検討番組のスクランブルされた映像・音声データに含まれるプレビューを、入力インターフェースより取得する視聴者のプレビュー視聴要求に基づいて再生する、プレビュー再生部１３０を備える。これによれば、視聴者は、蓄積予約することにより蓄積手段１０２に蓄積しておいた購入検討番組について、そのリアルタイム放送後に、時間的な面のみならず、プレビューという情報面からも十分に、購入するか否かを検討することができるため、非常に利便性が高まる。
【００３４】
また、受信装置１００は、前記デスクランブル部１２６においてデスクランブルされ視聴可能とされた、前記蓄積手段１０２に蓄積された前記購入決定番組のうち、そのＥＣＭにおいて属性が録画不可と設定されているものについては、所定の視聴可能期限後に前記蓄積手段１０２から強制削除する、録画不可番組削除部１３２を備える。これによれば、録画不可のＰＰＶ番組の適切な権利保護を図ることができる。
【００３５】
なお、これまで示した各機能部１２０〜１３２は、本実施形態ではファームウェアとして実現することとしたが、ハードウェアとして実現してもよいし、各種メモリやハードディスクなどの適宜な記憶装置に格納されるプログラムとして実現するとしてもよい。後者の場合、受信装置１００のＣＰＵ１１８が、各機能部１２０〜１３２のプログラム実行に合わせてそれらの記憶装置より該当プログラムを各種メモリに読み出して、これを実行することとなる。
【００３６】
−−−第２ＲＡＭのデータ−−−
次に、本実施形態のシステム１００が利用する、第２ＲＡＭ１１４に書き込まれるデータについて説明する。なお、第２機能部１１０の各機能部１２０〜１３２は、第２機能部１１０専用として設けられたＲＡＭである第２ＲＡＭ１１４に対し、各種データを読み書きするが、受信装置１００のメインメモリとして設けられた第１ＲＡＭ１１２などとハードウェア構成上、必ずしも分割する必要は無く、例えば両者をひとつのＲＡＭとして構成してもよい。本実施形態では、本発明に特徴的なデータ、すなわち第２機能部１１０により読み書きされるデータを読み書きするためのＲＡＭとして、第２ＲＡＭ１１４を設けている。
【００３７】
図２は、本実施形態における第２ＲＡＭ１１４に書き込まれるデータ例１を示す図である。図２の（１）は、ＩＣカード（ＩＣＣ）１３４に関するデータである。(a)はＩＣカード１３４のＩＤ情報。(b)はＩＣカード１３４の製造時に書き込まれた固有鍵である。固有鍵は、ＩＣカードごとに異なり、ＥＭＭを復号するために使用される。  
図２の（２）は、デスクランブルに関するデータである。(c)は、番組蓄積処理部１２２によりＥＣＭから取得されてメモリ１１４に格納されるスクランブル鍵Ｋｓである。  
図２の（３）は、新規契約時および契約後に周期的にセンタ側から送出されるＥＭＭより取得される視聴者ごとの個別契約情報である。(a)のＦｌａｔティアは、視聴できる番組の契約情報である。
【００３８】
図２の（４）〜（６）は、ＥＣＭより取得される情報であって、蓄積予約され、蓄積手段１０２に蓄積される全てのＰＰＶ番組（購入検討番組）ごとに存在する情報である。図２の（４）は、プレビュー再生部１３０により再生される、蓄積された購入検討番組のプレビューに関するデータである。(a)のプレビューカウンタの値がゼロになるまでの時間、プレビューが再生される。  
図２の（５）は、各ＰＰＶ番組の属性情報である。(b)は当該ＰＰＶ番組のＩＤ情報（ＰＰＶ＿ＩＤ）であり、購入検討番組や、購入決定番組を特定する際には、このＰＰＶ＿ＩＤが使用される。(c)は、あらかじめ設定された当該ＰＰＶ番組の視聴可能期間（以下、「視聴期間」という）である。(d)は、当該ＰＰＶ番組が録画可能であるか否かがあらかじめ設定されたＰＰＶ番組録画条件情報である。本実施形態の受信装置１００で受信するＰＰＶ番組の中には、権利保護の観点から、録画（蓄積）可能なものと録画不可に設定されたものとがある。(d)で録画不可と設定されているＰＰＶ番組については、(c)の視聴期間は定められていない。すなわち、永久的に視聴が可能である。  
図２の（６）は、当該ＰＰＶ番組の視聴履歴を示すデータである。擬似購入処理部１２８により、ＰＰＶ番組をリアルタイム放送時に擬似的に購入する際や、課金処理部により購入番組課金情報をＩＣカード１３４に格納処理させるべくＩＣカードリーダ／ライタ１３６に送信する際には、(c)のＰＰＶ＿ＩＤなどを含むこの（６）のＰＰＶ視聴履歴データが、メモリ１１４（擬似購入処理のとき）やＩＣカード１３４（課金処理のとき）に格納される。(b)の「ワーク鍵ＫｗのＩＤ」とは、ＥＣＭを復号する際に使用されるワーク鍵ＫｗのＩＤ情報である。
【００３９】
図２の（７）は、（８）の(g)の視聴可能期限を算出した日時の情報である。  
図２の（８）は、視聴者が購入意思決定を行うときなどにＴＶ画面に表示される、購入検討番組の一覧とその各種属性情報を示すプレイリスト（図８参照）に表示されるデータである。(c)の種別は、各ＰＰＶ番組の、例えば「一般」、「新作映画」といったような種類を示す情報である。(d)の保存先は、当該ＰＰＶ番組の蓄積場所である。本実施形態では全て蓄積手段１０２であるハードディスク（ＨＤＤ）である。課金処理部１２４による課金処理の際に、録画不可のＰＰＶ番組について算出される、視聴可能（蓄積可能）な期限を示す情報である。
【００４０】
−−−処理フロー例１−−−
以下、本実施形態における有料放送受信装置１００において実行される各種の処理に対応する処理フロー例について、図に基づき説明する。なお、以下で説明する、受信装置１００において実行される各種の処理に対応する各種動作は、受信装置１００のプログラムである第１機能部１０８や第２機能部１１０によって実現される。そして、こうしたプログラムは、以下に説明される各種の動作を行うためのコードからそれぞれ構成されている。
【００４１】
図３は、本実施形態の受信装置１００において実行される各種の処理に対応する実施手順例１を示すフロー図である。ここではまず、受信装置１００において実行される各種処理の全体的な流れについて説明する。
【００４２】
視聴者はまず、受信装置１００の電源を入れて起動する。すると受信装置１００は、ＡＲＩＢ−ＳＴＤ−Ｂ２５で規定された標準仕様に基づく（以下、「ＡＲＩＢ規定の」と略す）各種動作などを実行し、ＴＶ画面にメニュー画面を表示する。視聴者はメニューの中から、リモコン１３８を用いて「ＥＰＧ（Electronic Program Guide：電子番組ガイド）表示」を選択し、受信装置１００はこの表示要求を受けて、ＥＰＧを表示させる（Ｓ１００）。この受信装置１００のＥＰＧ表示処理も、ＡＲＩＢ規定の動作である。ステップＳ１００のより詳細なフローは、処理フロー例２において説明する。
【００４３】
次に、視聴者はＴＶ画面に表示されたＥＰＧの中から視聴あるいは蓄積（録画）しておきたいＰＰＶ番組を選択する。受信装置１００はその情報を受信する（Ｓ１０２）。次に、受信装置１００は、ＥＰＧにおいて選択されたＰＰＶ番組についての、「視聴予約」受け付け、「蓄積予約」受け付け、「録画予約」受け付けの３つの選択肢をＴＶ画面に表示し、視聴者の選択を受け付ける。視聴者が当該ＰＰＶ番組について、「視聴予約」を希望する場合には視聴予約処理実行ステップ（Ｓ１０４）に進む。また、視聴者が当該ＰＰＶ番組について、「録画予約」を希望する場合には録画予約処理実行ステップ（Ｓ１０６）に進む。ここでは、本発明の特徴である「蓄積予約」を視聴者が選択するものとし、受信装置１００の処理は、蓄積予約処理部による処理の実行ステップ（Ｓ１０８）に進むものとする。ステップＳ１０８のより詳細なフローは、処理フロー例３において説明する。
【００４４】
次に、受信装置１００は、ステップＳ１０８において蓄積予約、すなわち購入検討番組として特定されたＰＰＶ番組を、そのリアルタイム放送時に蓄積手段１０２に蓄積する（Ｓ１１０）。受信装置１００は、放送終了時刻となったら、蓄積処理を終了する（Ｓ１１２）。ステップＳ１１０、Ｓ１１２のより詳細なフローは、処理フロー例４において説明する。
【００４５】
次に、受信装置１００は、蓄積手段１０２に蓄積された購入検討番組について、視聴者による購入意思決定の入力を待つ（Ｓ１１４）。視聴者が購入する意思を入力せず（Ｓ１１６）、蓄積手段１０２からの削除要求なども行わない購入検討番組は、そのまま蓄積手段１０２に残される（Ｓ１１８）。視聴者が購入する意思を入力した（Ｓ１２０）購入検討番組（購入決定番組）は、受信装置１００により、課金処理およびデスクランブル処理が実行されて（Ｓ１２２）、視聴可能な状態に変えられる。ステップＳ１２０、Ｓ１２２のより詳細なフローは、処理フロー例５において説明する。
【００４６】
最後に、受信装置１００は、視聴者により実際に視聴された購入決定番組について、視聴語の処理を実行する（Ｓ１２４）。ステップＳ１２４のより詳細なフローは、処理フロー例６において説明する。
【００４７】
−−−処理フロー例２−−−
図４は、本実施形態の受信装置１００において実行される各種の処理に対応する実施手順例２を示すフロー図である。ここでは、処理フロー例１におけるステップＳ１００、すなわち、受信装置１００の起動からＥＰＧ表示までのより詳細なフローについて説明する。
【００４８】
まず、ＩＣカード１３４が受信装置１００のＩＣカードリーダ／ライタ１３６に挿入され、受信装置１００の電源がＯＮされると、受信装置１００およびＩＣカード１３４は、ＡＲＩＢ規定の各種処理を実行する（Ｓ２００）。具体的には、初期設定条件、ＩＣＣ＿ＩＤ情報取得、フィルタ条件設定、カード種別設定、通電制御情報更新、通電制御情報設定、発呼日時更新、発呼日時設定などの処理である。
【００４９】
次に、第１機能部１０８は、第２機能部１１０にＩＣＣ＿ＩＤを送信し、第２機能部１１０は、これをメモリ１１４に設定する（Ｓ２０２）。  
次に、第１機能部１０８は、ＥＭＭを受信し、ＩＣカード１３４に渡す。ＩＣカード１３４は、ＥＭＭを復号し、格納（契約情報設定）する（Ｓ２０４）。このＥＭＭには、ＥＣＭを復号するためのワーク鍵Ｋｗが含まれている。  
次に、第１機能部１０８は、第２機能部１１０に、ＥＭＭ受信完了通知を送信する（Ｓ２０６）。  
第２機能部は、これを受けて、ＩＣカード１３４に対し、ＩＣカード情報ｒｅａｄコマンドを発行し、ＩＣカード１３４から当該ＩＣＣ＿ＩＤの契約情報を引き出して、第２ＲＡＭ１１４に格納する（Ｓ２０８）。具体的には、図２の第２ＲＡＭのデータのうち、（１）と（３）を格納する。このＩＣカード情報ｒｅａｄコマンドは、例えばデバックなどの作業の際に使用されるものである。また、第２機能部１１０は、処理が正常に終了したレスポンスを第１機能部に返す（Ｓ２０８）。  
次に、受信装置１００は、ＴＶ画面にメニュー画面を表示し、視聴者からの「ＥＰＧ表示」要求を受け付けて、ＥＰＧを表示する（図４での図示省略）。  
以上で処理フロー例２のフローは終了となる。
【００５０】
−−−処理フロー例３−−−
図５は、本実施形態の受信装置１００において実行される各種の処理に対応する実施手順例３を示すフロー図である。ここでは、処理フロー例１におけるステップＳ１０８、すなわち、蓄積予約処理部１２０による処理のより詳細なフローについて説明する。蓄積予約処理部１２０では、視聴者が視聴のために購入するか否かを検討するために蓄積手段１０２に蓄積しておくことを選択するペイパービュー番組である購入検討番組を特定する情報を、入力インターフェース３６より取得し、メモリ１１４に格納する。
【００５１】
具体的には、まず、蓄積予約処理部１２０では、視聴者が蓄積予約を希望するＰＰＶ番組が、当該視聴者にとって視聴可能なのか否かを、当該視聴者のＥＭＭに基づいて判定する（Ｓ３００）。それには、まず、視聴者がリモコン１３８を用いて入力インターフェース１３６より入力する購入検討番組を、そのＰＰＶ＿ＩＤにより特定し、第２ＲＡＭ１１４から読み出し（既存のｒｅａｄコマンドを用いる、以下同様の場合について「ｒｅａｄする」という）た当該視聴者の契約情報（ここでは具体的には図２の（３）の(b)の情報）と比較することによって、蓄積予約希望の番組に対する契約があるか否かを確認する。その際、当該ＰＰＶ番組のＰＰＶ＿ＩＤを含む図２の（５）の各情報を第２ＲＡＭ１１４に書き込む（既存のｗｒｉｔｅコマンドを用いる、以下同様の場合について「ｗｒｉｔｅする」という）。またその際、図２の（８）のプレイリストデータのうち(a)から(d)までをｗｒｉｔｅする。
【００５２】
次に、蓄積予約処理部１２０では、視聴可能か否かの結果を表示し、視聴可能な場合には、再度、当該ＰＰＶ番組を購入検討番組として蓄積予約するか否かの入力を受け付ける（Ｓ３０２）。ここでは、視聴者は当該ＰＰＶ番組を蓄積予約するものとする。  
以上で処理フロー例３のフローは終了となる。
【００５３】
−−−処理フロー例４−−−
図６は、本実施形態の受信装置１００において実行される各種の処理に対応する実施手順例４を示すフロー図である。ここでは、処理フロー例１におけるステップＳ１１０、Ｓ１１２すなわち、番組蓄積処理のより詳細なフローについて説明する。まず、番組蓄積処理部１２２では、蓄積予約された購入検討番組のリアルタイム放送時に、当該購入検討番組のスクランブルされた映像・音声データを蓄積手段１０２に蓄積するとともに、当該購入検討番組のスクランブル鍵Ｋsを当該購入検討番組のＥＣＭより取得しメモリ１１４に格納する。
【００５４】
具体的には、まず、番組蓄積処理部１２２では、各購入検討番組のリアルタイム放送時刻に第２チューナ１５４を有効にする（Ｓ４００）。次に、番組蓄積処理部１２２では、当該購入検討番組のＥＣＭを受信し、復号処理する（Ｓ４０２）。  
次に、番組蓄積処理部１２２では、視聴者が蓄積予約を希望する当該購入検討番組が当該視聴者にとって視聴可能なのか否かを、ステップＳ４０２において復号したＥＣＭと当該視聴者のＥＭＭ（ここでは具体的には図２の（３）の(b)の情報をｒｅａｄする）とを比較することによって判定する（Ｓ４０４）。
【００５５】
次に、受信装置１００の擬似購入処理部１２８は、番組蓄積処理部１２２において当該購入検討番組の映像・音声データを蓄積手段１０２に蓄積するために、当該購入検討番組の購入番組課金情報をメモリ１１４に格納する、擬似購入処理を実行する（Ｓ４０６）。具体的には、まず、ＡＲＩＢ規定のＰＰＶ番組購入コマンドを発行し、第２ＲＡＭ１１４からｒｅａｄした図２の（５）の(b)、(d)の情報と、ステップＳ４０２において復号処理したＥＣＭの情報とを比較し、蓄積しようとしているＰＰＶ番組が確かにユーザ所望の購入検討番組であることを確認したうえで、ＰＰＶ番組購入コマンドに含まれる購入番組課金情報を第２ＲＡＭ１１４に格納する（ここでは具体的には図２の（６）の情報を第２ＲＡＭ１１４にｗｒｉｔｅする）。
【００５６】
次に、番組蓄積処理部１２２では、当該ＰＰＶ番組（購入検討番組）のＥＣＭを取得、復号し、スクランブル鍵Ｋｓを取り出し、第２ＲＡＭ１１４に格納する（Ｓ４０８）。番組蓄積処理部１２２では、第２チューナ１５４がＥＣＭをパケットごとに受信するたびに、ステップＳ４０８の処理を繰り返し実行する。  
次に、番組蓄積処理部１２２では、当該ＰＰＶ番組（購入検討番組）の、蓄積手段１０２への蓄積処理を実行する（Ｓ４１０）。ここでは、ＰＰＶ番組をデスクランブルせずに蓄積手段１０２へ蓄積する。またその際、図２の（８）のプレイリストデータのうち(e)（蓄積日と蓄積開始時刻）および(f)（番組の放送時間）をｗｒｉｔｅする。  
以上で処理フロー例４のフローは終了となる。
【００５７】
−−−処理フロー例５−−−
図７は、本実施形態の受信装置１００において実行される各種の処理に対応する実施手順例５を示すフロー図である。ここでは、処理フロー例１におけるステップＳ１２０、Ｓ１２２、すなわち、視聴者が購入する意思を入力した購入決定番組に対する課金処理およびデスクランブル処理が実行されて、視聴可能な状態に変えられる処理の、より詳細なフローについて説明する。まず、第２機能部１１０では、蓄積されている全ての購入検討番組および購入決定番組の一覧であるプレイリストをＴＶ画面に表示する（Ｓ５００）。
【００５８】
図８は、プレイリスト画面２の一例を示している。視聴者は、プレイリストに表示された購入検討番組の中から、購入希望、あるいはいまからプレビューを視聴して購入を検討しようとする番組を選択する（Ｓ５０２）。本実施形態では、視聴者によるこの選択作業は、所望の購入検討番組が蓄積された後であれば、いつでも行うことができる。プレイリストの(a)〜(g)の各列は、図２の（８）の(a)〜(g)の情報に対応している。前述のように、このうち、(a)〜(d)の項目は、図５のフローのステップＳ３００で記録され、(e)、(f)の項目は、図６のフローのステップＳ４１０で記録された。したがって、ステップＳ５００の時点では、視聴者がまだ購入決定していないＰＰＶ番組、すなわち購入決定番組でなく購入検討番組にとどまっているＰＰＶ番組の(g)の項目は空欄のままなのであるが、図８では便宜上、いずれの行の(g)の欄にも視聴可能期限情報を記載している。
【００５９】
本実施形態では、視聴者がプレイリストに表示された中から購入検討番組を選択すると、すぐに購入決定とみなされるのではなく、そのＰＰＶ番組についてのプレビューを視聴するか否かを選択するプレビュー選択画面が表示される。ここでは、視聴者が、ステップＳ５０２で選択した購入検討番組のプレビュー視聴を選択するものとする。第２機能部１１０のプレビュー再生部１３０は、リモコン１３８から入力インターフェース１３６を介して取得された当該プレビュー視聴要求に基づいて、当該視聴者が購入希望のＰＰＶ番組のプレビューを再生する（Ｓ５０４）。
【００６０】
次に、課金処理部１２４は、プレビューを視聴し終えた視聴者に対し、当該プレビューを視聴し終えた購入検討番組を購入するか否か選択する、購入選択画面を表示し（Ｓ５０６）、購入／非購入いずれかの入力を受け付ける（Ｓ５０８）。ここでは、視聴者が当該プレビューを視聴し終えた購入検討番組を購入する、すなわち購入の意思決定を行うものとする。  
課金処理部１２４では、当該視聴者により、リモコン１３８から入力インターフェース１３６を介して送信される、購入決定番組の情報を取得し、これに対する課金処理を実行する（Ｓ５１０）。
【００６１】
具体的には、図２の（６）の情報を第２ＲＡＭ１１４にｗｒｉｔｅすることによって、ＡＲＩＢ規定のＰＰＶ番組購入コマンドを発行するとともに、ＰＰＶ番組購入コマンドに含まれる購入番組課金情報をＩＣカード１３４に格納処理させる。ＩＣカード１３４はこれを受けて、正常レスポンスを課金処理部１２４に返す。
【００６２】
次に、第２機能部１１０では、図２のデータの（８）の(g)、すなわちプレイリストの(g)の項目である、当該課金処理が行われたＰＰＶ番組の視聴可能期限を算出する（Ｓ５１２）。その際、第２ＲＡＭ１１４から図２の（５）の(c)の情報である当該ＰＰＶ番組の視聴期間をｒｅａｄし、図２のデータの（８）の(e)、すなわちプレイリストの(e)の項目である蓄積日時に、第２ＲＡＭ１１４からｒｅａｄした当該ＰＰＶ番組の視聴期間を加算することにより、視聴可能期限を算出する。また、算出された視聴可能期限は、第２ＲＡＭ１１４にｗｒｉｔｅされ、プレイリスト２にも表示されるようになる。ステップＳ５１２の視聴可能期限の算出は、ＰＰＶ番組の属性として録画不可のものについてのみ実行され、録画可能な属性のものについては算出されない。録画可能な属性のものは永久的に蓄積ならびに視聴が可能となる。
【００６３】
次に、ＩＣカード１３４および第１機能部１０８は、ＡＲＩＢ規定の動作である、放送センター側への購入番組課金情報を送信する（Ｓ５１４）。これにより、センター側で当該視聴者に対する当該購入決定番組の課金処理が実行され、料金が請求される。
【００６４】
次に、デスクランブル部１２６は、視聴者により、リモコン１３８から入力インターフェース１３６を介して送信された購入決定番組の情報に基づいて、蓄積手段１０２に蓄積された当該購入決定番組を、前記番組蓄積処理部１２２においてメモリ１１４に格納した当該購入決定番組の前記スクランブル鍵Ｋｓを、メモリ１１４からｒｅａｄし、使用して、デスクランブルし視聴可能とする（Ｓ５１６）。  
以上で処理フロー例５のフローは終了となる。
【００６５】
−−−処理フロー例６−−−
図９は、本実施形態の受信装置１００において実行される各種の処理に対応する実施手順例６を示すフロー図である。ここでは、処理フロー例１におけるステップＳ１２４、すなわち、課金処理され、デスクランブルされた購入決定番組の視聴後の処理の、より詳細なフローについて説明する。
【００６６】
視聴者による視聴が終了すると、第２機能部１１０では、受信装置１００より視聴終了を示す情報を受信する（Ｓ６００）。ここで、視聴者による視聴の終了とは、当該ＰＰＶ番組をその再生時間の最後まで視聴した場合に限られず、途中で終了した場合なども含まれる。
【００６７】
次に、第２機能部１１０では、第２ＲＡＭ１１４のデータのうち、図２の（８）の(g)の視聴可能期限（図７のフローのステップＳ５１２で算出された）をｒｅａｄし、視聴可能期限情報を確認する（Ｓ６０２）。次に、第２機能部１１０では、ステップＳ６０２において確認された当該ＰＰＶ番組についての視聴可能期限情報をＴＶ画面に表示する（Ｓ６０４）。
【００６８】
ＰＰＶ番組がその視聴可能期限を迎えた時には、録画不可番組削除部１３２が、蓄積手段１０２から強制削除する。ただし、強制削除されるのは、デスクランブル部１２６においてデスクランブルされ視聴可能とされた、蓄積手段１０２に蓄積された購入決定番組のうち、そのＥＣＭにおいて属性が録画不可と設定されているもののみである。  
以上で処理フロー例６のフローは終了となる。
【００６９】
以上、本実施形態によれば、視聴者が、ペイパービューの番組を視聴するための購入の意思決定を、リアルタイム放送時までに行うのではなく、放送後にも視聴するか否か十分に検討した上で行うことが可能となる。
【００７０】
以上、本発明の実施の形態について、その実施の形態に基づき具体的に説明したが、これに限定されるものではなく、その要旨を逸脱しない範囲で種々変更可能である。
【図面の簡単な説明】
【００７１】
【図１】本実施形態の有料放送受信装置のブロック図である。
【図２】本実施形態における第２ＲＡＭに格納されるデータ例１を示す図である。
【図３】本実施形態の受信装置において実行される各種の処理に対応する処理フロー例１を示す図である。
【図４】本実施形態の受信装置において実行される各種の処理に対応する処理フロー例２を示す図である。
【図５】本実施形態の受信装置において実行される各種の処理に対応する処理フロー例３を示す図である。
【図６】本実施形態の受信装置において実行される各種の処理に対応する処理フロー例４を示す図である。
【図７】本実施形態の受信装置において実行される各種の処理に対応する処理フロー例５を示す図である。
【図８】本実施形態の処理フロー例５などにおいて使用されるプレイリスト画面例２を示す図である。
【図９】本実施形態の受信装置において実行される各種の処理に対応する処理フロー例６を示す図である。
【符号の説明】
【００７２】
１００  有料放送受信装置
１０２  番組蓄積手段
１０４、１０６、１１２、１１６  メモリ
１２０  番組予約処理部
１２２  番組蓄積処理部
１２４  課金処理部
１２６  デスクランブル部
１２８  擬似購入処理部
１３０  プレビュー再生部
１３２  録画不可番組削除部
１３４  ＩＣカード
１３６  入出力インターフェース
【図１】
2008154086.tif 000003
【図２】
2008154086.tif 000004
【図３】
2008154086.tif 000005
【図４】
2008154086.tif 000006
【図５】
2008154086.tif 000007
【図６】
2008154086.tif 000008
【図７】
2008154086.tif 000009
【図８】
2008154086.tif 000010
【図９】
2008154086.tif 000011